(57)【特許請求の範囲】
【請求項１】
室内機と室外機とを備え、前記室内機と前記室外機とが、電源線、共通線、及び信号線で接続され、前記室外機又は前記室内機の何れかに供給された商用電源を、前記電源線及び共通線を介して給電する空気調和機であって、
前記室内機は、
前記電源線と前記信号線との接続を開閉する室外起動リレーと、
前記室外起動リレーの動作の有無を判断するための識別情報を持つ受電方式データ部と、
前記信号線及び前記共通線を介して、前記室外機と通信する室内通信回路部と、
前記識別情報に基づいて前記室外起動リレーを動作させ、前記信号線と前記共通線との間に前記商用電源を供給する制御を行い、また、前記識別情報を書き換え可能な室内制御部と、
を備え、
前記室外機は、
前記信号線及び前記共通線を介して、前記室内機と通信する室外通信回路部、
を備え、
前記室内制御部は、前記受電方式データ部の持つ識別情報及び前記室内通信回路部経由で前記室外通信回路部から受信した信号に基づいて、当該識別情報を書き換える、
ことを特徴とする空気調和機。
【請求項２】
前記室外機は、運転待機時の待機電力の削減を目的とする仕様の室外機、または常時通電された仕様の室外機である、
ことを特徴とする請求項１に記載の空気調和機。
【請求項３】
前記室外機が前記運転待機時の待機電力の削減を目的とする仕様の室外機の場合、
前記室外通信回路部は、前記室内機へ送信する信号に、自機の仕様を示す情報として待機電力対応情報を含む、
ことを特徴とする請求項２に記載の空気調和機。
【請求項４】
前記受電方式データ部は、出荷時に前記室外起動リレーを動作させる識別情報として待機電力対応情報を持ち、
前記室内制御部は、前記室外機と接続された際に、接続された当該室外機の仕様に合わせて前記受電方式データ部の識別情報を書き換える、
ことを特徴とする請求項１、２または３に記載の空気調和機。
【請求項５】
前記室内機及び前記室外機が運転中、前記室内機にのみパワーオンリセットが発生し、前記室内制御部が、前記受電方式データ部の持つ識別情報を、前記待機電力対応情報から前記室外起動リレーを動作させない識別情報である待機電力非対応情報へ書き換え、その後、前記室内機及び前記室外機が運転を停止した場合、
前記室内制御部は、運転開始時に前記室外機と通信ができ、かつ、前記室外機との通信の中に前記待機電力対応情報が含まれる場合、前記受電方式データ部が持つ待機電力非対応情報を、前記待機電力対応情報に書き換える、
ことを特徴とする請求項３〜４のいずれか１つに記載の空気調和機。
【発明の詳細な説明】
【技術分野】
【０００１】
本発明は、空気調和機に関する。
【背景技術】
【０００２】
従来、運転待機時の待機電力の削減を目的とした空気調和機の室内機では、接続される室外機に合わせて起動制御を行っている（例えば、下記特許文献１参照）。空気調和機には「運転待機時の待機電力を削減できる仕様」と「常時通電した仕様」があり、室内機は、接続される室外機に合わせて起動時の制御を変えている。
【０００３】
室内機は、パワーオンリセット後、一定時間内に室外機との通信が出来ない場合は「運転待機時の待機電力を削減できる仕様」の室外機が接続されていると判断する。「運転待機時の待機電力を削減できる仕様」の室外機が接続されていると判断した場合、室内機は、運転指令があると室外起動リレーを一定時間閉する事で、室外機を起動させる制御を行う。一方、パワーオンリセット後、一定時間内に室外機からの通信がある場合は接続されている室外機は「常時通電した仕様」と判断する。「常時通電した仕様」と判断した場合、室内機は、運転指令後も室外起動リレーの制御を行わない。
【０００４】
室内機は、受電方式データ部に「室外起動リレーを制御する情報」（以下「待機電力対応情報」という）と「室外起動リレーを制御しない情報」（以下「待機電力非対応情報」という）のどちらかを保有しており、出荷時は「待機電力対応情報」を保有している。パワーオンリセット後、一定時間内に室外機からの通信があり、接続されている室外機が「常時通電した仕様」と判断した場合、室内機は、室外起動リレーの制御を行わないように、保有している「待機電力対応情報」を「待機電力非対応情報」に書き換える。
【０００５】
接続された室外機が「運転待機時の待機電力を削減できる仕様」の場合、室内機では、運転停止指令後、しばらくして室外機の通電が無くなり室内機の通電も無くなる為、次回起動時も一定時間内に室外機との通信が出来ず、「運転待機時の待機電力を削減できる仕様」の室外機が接続されていると判断し、室外起動リレーを制御し室外機を起動させる。
【０００６】
接続された室外機が「常時通電した仕様」の場合、室内機では、リモコンＯＦＦしても通電されている為、次回起動時も一定時間内に室外機からの通信があり、室外起動リレーの制御を行なわない情報を保有している為、室外起動リレーの制御を行なわない。
【先行技術文献】
【特許文献】
【０００７】
【特許文献１】特開２０１０−２４３０５１号公報
【発明の概要】
【発明が解決しようとする課題】
【０００８】
しかしながら、上記従来の技術によれば、接続された室外機が「運転待機時の待機電力を削減できる仕様」にて動作中、瞬停等の原因で室内機のみパワーオンリセットがかかった場合、室内機は、一定時間内に室外機からの通信がある為、接続された室外機が「常時通電した仕様」と誤認して受電方式データ部に保有している「待機電力対応情報」を「待機電力非対応情報」に書き換えてしまう。そのため、室内機では、運転停止指令があると室外機の通電が無くなり、室内機の通電も無くなったあと、次回起動時は保有している「待機電力対応情報」を「待機電力非対応情報」に書き換えている為、室外起動リレーの制御を行えず室外機を起動できない、という問題があった。
【０００９】
本発明は、上記に鑑みてなされたものであって、室内機において室外機の仕様を誤認することなく起動制御を行うことが可能な空気調和機を得ることを目的とする。
【課題を解決するための手段】
【００１０】
上述した課題を解決し、目的を達成するために、本発明は、室内機と室外機とを備え、前記室内機と前記室外機とが、電源線、共通線、及び信号線で接続され、前記室外機又は前記室内機の何れかに供給された商用電源を、前記電源線及び共通線を介して給電する空気調和機であって、前記室内機は、前記電源線と前記信号線との接続を開閉する室外起動リレーと、前記室外起動リレーの動作の有無を判断するための識別情報を持つ受電方式データ部と、前記信号線及び前記共通線を介して、前記室外機と通信する室内通信回路部と、前記識別情報に基づいて前記室外起動リレーを動作させ、前記信号線と前記共通線との間に前記商用電源を供給する制御を行い、また、前記識別情報を書き換え可能な室内制御部と、を備え、前記室外機は、前記信号線及び前記共通線を介して、前記室内機と通信する室外通信回路部、を備え、前記室内制御部は、前記受電方式データ部の持つ識別情報及び前記室内通信回路部経由で前記室外通信回路部から受信した信号に基づいて、当該識別情報を書き換える、ことを特徴とする。
【発明の効果】
【００１１】
本発明によれば、室内機において室外機の仕様を誤認することなく起動制御を行うことができる、という効果を奏する。
【図面の簡単な説明】
【００１２】
【図１】図１は、「運転待機時の待機電力を削減できる仕様」の室外機が接続された空気調和機の電装系統ブロック図である。
【図２】図２は、「常時通電した仕様」の室外機が接続された空気調和機の電装系統ブロック図である。
【図３】図３は、室内機の動作を示すフローチャートである。
【図４】図４は、室外機の動作を示すフローチャートである。
【図５】図５は、「常時通電した仕様」の室外機の動作を示すフローチャートである。
【発明を実施するための形態】
【００１３】
以下に、本発明にかかる空気調和機の実施の形態を図面に基づいて詳細に説明する。なお、この実施の形態によりこの発明が限定されるものではない。
【００１４】
実施の形態．
まず、本実施の形態における「運転待機時の待機電力を削減できる仕様」の室外機が接続された場合の構成を説明する。
【００１５】
図１は、本実施の形態における「運転待機時の待機電力を削減できる仕様」の室外機が接続された空気調和機の電装系統ブロック図である。
【００１６】
図１に示すように、空気調和機１は、室内機２、及び室外機３を備える。
室内機２は、室内端子台２７を備える。室内端子台２７は、端子Ｓ１、Ｓ２、Ｓ３を有する。
室外機３は、室外端子台２８を備える。室外端子台２８は、端子Ｌ、Ｎ、Ｓ１、Ｓ２、Ｓ３を有する。
【００１７】
室内機２と室外機３は、電源線８、電源信号共通線９、及び信号線１６の３芯にて接続される。
電源線８は、室内端子台２７の端子Ｓ１と、室外端子台２８の端子Ｓ１とに接続される。
電源信号共通線９は、室内端子台２７の端子Ｓ２と、室外端子台２８の端子Ｓ２とに接続される。
信号線１６は、室内端子台２７の端子Ｓ３と、室外端子台２８の端子Ｓ３とに接続される。
【００１８】
室外機３の室外端子台２８の端子Ｌ、Ｎには、商用電源７が接続される。
室外端子台２８の端子Ｌは、当該室外端子台２８の端子Ｓ１と接続される。
室外端子台２８の端子Ｎは、当該室外端子台２８の端子Ｓ２と接続される。
これにより、室外端子台２８の端子Ｌ、Ｎに供給された商用電源７からの電力が、室外端子台２８の端子Ｓ１、Ｓ２から、電源線８、及び電源信号共通線９を介して、室内機２の室内端子台２７の端子Ｓ１、Ｓ２に供給される。
【００１９】
室内機２は、室内整流部４、室内制御部５、室内通信回路部６、受信部１８、室外起動リレー２２、室外電源供給ライン２４、及び受電方式データ部２６を備える。
【００２０】
室内整流部４は、室内端子台２７の端子Ｓ１、Ｓ２に接続される。室内整流部４は、交流電圧を任意の直流電圧に変換し、室内制御部５へ供給する。
【００２１】
室内通信回路部６は、室内端子台２７の端子Ｓ２、Ｓ３に接続される。室内通信回路部６は、信号線１６及び電源信号共通線９を介して、室外機３の室外通信回路部１４（後述）との間で通信を行う。
【００２２】
受電方式データ部２６は、室内制御部５と接続される。受電方式データ部２６は、例えば記憶装置、又はジャンパー線やスイッチなどによる切替により構成される。
受電方式データ部２６には、当該室内機２に接続された室外機３が、室外リレー１１（後述）及び突入電流防止リレー１９（後述）を有し、「運転待機時の待機電力を削減できる仕様」であるか否かを識別する情報が記憶される。詳細は後述する。
【００２３】
受信部１８は、室内制御部５と接続される。受信部１８は、リモコン１７からの信号を受信し、室内制御部５へ当該信号を送る。
【００２４】
室内制御部５は、Ｘ１の電位を変えることにより室外起動リレー２２を動作させる。また、室内制御部５は、室内通信回路部６を動作させ、室外機３との間で各種運転信号等を送受信する。室内制御部５は、受電方式データ部２６に記憶されている情報及び室外機３からの信号の内容に基づいて、受電方式データ部２６に記憶されている情報を書き換えることができる。
【００２５】
室外電源供給ライン２４は、一端が室内端子台２７の端子Ｓ１に接続され、他端が室外起動リレー２２に接続される。
【００２６】
室外起動リレー２２は、室内端子台２７の端子Ｓ３と室内通信回路部６との接続、又は室内端子台２７の端子Ｓ３と室外電源供給ライン２４との接続を切り替える。
即ち、室外起動リレー２２は、電源線８と信号線１６との接続を開閉する。この室外起動リレー２２が動作したとき、信号線１６と電源信号共通線９との間に商用電源７からの電力が供給される。
この室外起動リレー２２は、定常時、室内端子台２７の端子Ｓ３と室内通信回路部６とを接続し、室内制御部５からの動作により、室内端子台２７の端子Ｓ３と室内通信回路部６との接続を開放し、室内端子台２７の端子Ｓ３と室外電源供給ライン２４とを接続する。
【００２７】
なお、図示していないが、室内機２には、機械系統として室内熱交換器、室内ファン、センサー、表示などが設けられている。
【００２８】
室外機３は、突入電流防止抵抗１０、室外リレー１１、室外整流部１２、通信回路電源部１３、室外通信回路部１４、室外制御部１５、突入電流防止リレー１９、突入電流防止リレーコイル２０、電源供給遮断リレー２１、インバータ回路２３、及びコンデンサ２５を備える。
【００２９】
室外リレー１１は、一端が室外端子台２８の端子Ｌに接続され、他端が室外整流部１２に接続される。
この室外リレー１１は、定常時、接点を開いており（ノーマルオープン）、室外制御部１５からの動作により、接点を閉じる（以下「短絡」ともいう）。
【００３０】
突入電流防止抵抗１０は、室外リレー１１と並列に設けられる。突入電流防止抵抗１０は、一端が、突入電流防止リレー１９を介して室外端子台２８の端子Ｌに接続される。また、他端が室外整流部１２に接続される。
突入電流防止抵抗１０は、コンデンサ２５への突入電流を抑制するものである。
【００３１】
突入電流防止リレー１９は、室外リレー１１と並列に設けられる。突入電流防止リレー１９は、室外端子台２８の端子Ｌに接続され、他端が突入電流防止抵抗１０に接続される。
この突入電流防止リレー１９は、定常時、接点を開いており（ノーマルオープン）、突入電流防止リレーコイル２０が通電されると、接点を閉じて、突入電流防止抵抗１０と室外端子台２８の端子Ｌとの間を短絡する。
即ち、突入電流防止リレーコイル２０は、信号線１６と電源信号共通線９との間に商用電源７の電力が供給されたとき、突入電流防止リレー１９を閉じる。
【００３２】
室外整流部１２は、室外リレー１１及び突入電流防止抵抗１０を介して、室外端子台２８の端子Ｌと接続される。また、室外整流部１２は、室外端子台２８の端子Ｎと接続される。
この室外整流部１２は、商用電源７から供給される交流電圧を、任意の直流電圧に変換し、室外制御部１５及びインバータ回路２３へ供給する。
【００３３】
コンデンサ２５は、室外整流部１２の出力間に設けられ、室外整流部１２の出力を平滑化して、インバータ回路２３に直流電圧を供給する。
【００３４】
インバータ回路２３は、供給された直流電圧を、任意周波数、任意電圧の交流電圧に変換する。なお、インバータ回路２３には、例えば、モータなどが接続され、室外機３に設けられた圧縮機等を駆動する。
【００３５】
室外制御部１５は、Ｘ２の電位を変えることにより室外リレー１１、及びＸ４の電位を変えることにより電源供給遮断リレー２１を動作させる。また、室外制御部１５は、室外通信回路部１４を動作させ、室内機２との間で各種運転信号等を送受信する。
また、室外制御部１５は、インバータ回路２３を制御する。
【００３６】
通信回路電源部１３は、一端が、室外リレー１１と室外整流部１２との間に接続され、室外リレー１１及び突入電流防止リレー１９を介して、室外端子台２８の端子Ｌと接続される。また、他端が室外端子台２８の端子Ｓ２に接続される。
この通信回路電源部１３は、商用電源７から供給された交流電圧を、任意の直流電圧に変換して室外通信回路部１４へ供給する。通信回路電源部１３は、例えば半波整流回路により構成される。
【００３７】
室外通信回路部１４は、一端が室外端子台２８の端子Ｓ３に接続され、他端が通信回路電源部１３に接続される。また、室外通信回路部１４は、信号線１６及び電源信号共通線９を介して、室内機２の室内通信回路部６との間で通信を行う。室外通信回路部１４は、室内機２との通信の中に「待機電力対応情報」に関する信号を含めて送信を行う。
【００３８】
突入電流防止リレーコイル２０は、一端が室外端子台２８の端子Ｓ２に接続され、他端が電源供給遮断リレー２１を介して、室外端子台２８の端子Ｓ３に接続される。
この突入電流防止リレーコイル２０は通電すると、突入電流防止リレーの接点を閉じる。
【００３９】
電源供給遮断リレー２１は、一端が突入電流防止リレーコイル２０に接続され、他端が室外端子台２８の端子Ｓ３に接続される。
この電源供給遮断リレー２１は、定常時、接点を閉じており（ノーマルクローズ）、室外制御部１５からの動作により、接点を開放して突入電流防止リレーコイル２０への通電を遮断する。
【００４０】
なお、図示していないが、室外機３には、機械系統として室外熱交換器、室外ファンセンサー、電磁膨張弁、冷媒切り替え弁、圧縮機が設けられている。
【００４１】
次に、「常時通電した仕様」の室外機が接続された場合の構成を説明する。
【００４２】
図２は、本実施の形態における「常時通電した仕様」の室外機が接続された空気調和機の電装系統ブロック図である。
以下、上記「運転待機時の待機電力を削減できる仕様」の室外機３が接続された場合の構成との相違点を中心に、「常時通電した仕様」の室外機３が接続された場合の構成を説明する。
なお、「常時通電した仕様」の室外機３が接続された場合の構成における室内機２は、上記「運転待機時の待機電力を削減できる仕様」の室外機３が接続された場合の構成と同様の構成であり、同一部分には同一の符号を付する。
【００４３】
図２に示すように、本実施の形態に係る室外機３は、「運転待機時の待機電力を削減できる仕様」の室外機が接続された場合の構成で説明した、突入電流防止リレー１９、突入電流防止リレーコイル２０、及び電源供給遮断リレー２１を設けない構成である。なお、その他の構成は上記「運転待機時の待機電力を削減できる仕様」の室外機が接続された場合の構成と同様であり、同一部分には同一の符号を付する。
【００４４】
図２に示す「常時通電した仕様」の室外機３は、図１に示す「運転待機時の待機電力を削減できる仕様」の室外機３ではない。
なお、室外機３の構成はこれに限るものではなく、電源線８、電源信号共通線９、及び信号線１６の３芯にて室内機２と接続するものであれば良い。
【００４５】
室外リレー１１は、図１と同様に、一端が室外端子台２８の端子Ｌに接続され、他端が室外整流部１２に接続される。
突入電流防止抵抗１０は、室外リレー１１と並列に設けられる。突入電流防止抵抗１０は、一端が室外端子台２８の端子Ｌに接続され、他端が室外整流部１２に接続される。
【００４６】
図２に示す受電方式データ部２６には、運転待機時の待機電力を削減できる室外機３であるか否かを識別する情報が記憶される。
【００４７】
次に動作について説明する。
【００４８】
まず、空気調和機１の運転待機時における電力の供給について説明する。
【００４９】
図１に示すように、室内機２の室内端子台２７の端子Ｓ１、Ｓ２には、室外端子台２８のＬ、Ｎに供給された商用電源７からの電力が、室外端子台２８の端子Ｓ１、Ｓ２から、電源線８及び電源信号共通線９を介して供給される。
そして、室内整流部４には、室内機２の室内端子台２７の端子Ｓ１、Ｓ２に供給された商用電源７の電力が入力される。
室内整流部４は、入力された交流電圧を任意の直流電圧に変換する。室内整流部４は、変換した直流電圧を、室内制御部５、及び室内機２の各構成部に供給する。
【００５０】
室内制御部５は、受電方式データ部２６に記憶された情報に基づき、接続された室外機３が、「運転待機時の待機電力を削減できる仕様」、又は「常時通電した仕様」の何れであるかを判断する。
まずは、「運転待機時の待機電力を削減できる仕様」の室外機３が接続された場合について説明する。
なお、「常時通電した仕様」の室外機３が場合接続された場合の動作は後述する。
【００５１】
室外起動リレー２２は、定常時、室内端子台２７の端子Ｓ３と室内通信回路部６とを接続する。
これにより、室内通信回路部６は、信号線１６を介して室外機３と接続され、室外機３に対して通信可能な状態となる。
またこのとき、室内制御部５は、リモコン１７から送信され受信部１８を介して受信する運転開始要求信号の受信待機状態になる。
【００５２】
室外機３の室外リレー１１及び突入電流防止リレー１９は、定常時、接点を開いている。
またこのとき、室内機２の室外起動リレー２２は、室内端子台２７の端子Ｓ３と室外電源供給ライン２４との接続を開放している。
よって、室外端子台２８の端子Ｓ２、Ｓ３との間には、商用電源７からの電力は供給されておらず、突入電流防止リレーコイル２０は非通電状態である。
従って、室外機３の、室外端子台２８の端子Ｌ、Ｎに、商用電源７が供給されても、突入電流防止リレー１９及び室外リレー１１が開放状態となる。
このため、運転待機時においては、突入電流防止リレー１９及び室外リレー１１の下流に接続された各構成部への電源供給が遮断され、運転待機時に室外機３が消費する待機電力を低減することが可能となる。
【００５３】
次に、「常時通電した仕様」の室外機３が場合接続された場合について説明する。
【００５４】
図２に示す構成により、空気調和機１の運転待機時において、室外端子台２８の端子Ｌ、Ｎに供給された商用電源７が、突入電流防止抵抗１０を介して、室外整流部１２及び通信回路電源部１３へ供給される。
【００５５】
また、室外端子台２８のＬ、Ｎに供給された商用電源７からの電力が、室外端子台２８の端子Ｓ１、Ｓ２から、電源線８、及び電源信号共通線９を介して、室内機２の室内端子台２７の端子Ｓ１、Ｓ２に供給される。
そして、室内整流部４には、室内機２の室内端子台２７の端子Ｓ１、Ｓ２に供給された商用電源７の電力が入力される。
室内整流部４は、入力された交流電圧を任意の直流電圧に変換する。室内整流部４は、変換した直流電圧を、室内制御部５、及び室内機２の各構成部に供給する。
【００５６】
室内制御部５は、室外機３からの通信の中に「待機電力対応情報」に関する信号を確認できず、かつ、受電方式データ部２６に記憶された情報が「運転待機時の待機電力を削減できる仕様」（待機電力対応情報）の場合、受電方式データ部２６に記憶された情報を「常時通電した仕様」（待機電力非対応情報）に書き換える。
接続された室外機３が「常時通電した仕様」なので、室内制御部５は、室外起動リレー２２を動作させない。
【００５７】
室内制御部５は、受信部１８を介し、リモコン１７から運転開始要求又は運転待機信号を受信すると、室内通信回路部６を動作させて、室外機３との通信を開始させて、当該信号を室外機３へ送信する。
【００５８】
次に、空気調和機の室外機の起動時及び運転中の動作について説明する。
【００５９】
図３は、本実施の形態における室内機の動作を示すフローチャートである。
図４は、本実施の形態における室外機の動作を示すフローチャートである。
以下、図３及び図４の各ステップに基づき説明する。
【００６０】
まず、室内機２の動作を説明する。
【００６１】
（ＳＴＥＰ１）
室内制御部５は、受信部１８を介し、リモコン１７から運転開始要求を受信する。
【００６２】
（ＳＴＥＰ２）
室内制御部５は、室内通信回路部６を動作させて、室外機３との通信を開始させる。
【００６３】
（ＳＴＥＰ３）
室内制御部５は、室内通信回路部６と室外機３の室外通信回路部１４との通信が確立できたか否かを判断する。
室内通信回路部６と室外機３との通信が確立できた場合は、ＳＴＥＰ１３へ進む。
【００６４】
（ＳＴＥＰ４）
一方、ＳＴＥＰ３にて、室内通信回路部６と室外機３との通信が確立できなかった場合、室内制御部５は、受電方式データ部２６に保存されている情報を確認し、保存されている情報が「運転待機時の待機電力を削減できる仕様」（待機電力対応情報）の場合はＳＴＥＰ５へ進み、それ以外の情報が保存されていた場合はＳＴＥＰ１２へ進む。
【００６５】
（ＳＴＥＰ５）
ＳＴＥＰ４にて、受電方式データ部２６に保存されている情報が「運転待機時の待機電力を削減できる仕様」（待機電力対応情報）の場合、室内制御部５は、室外起動リレー２２を動作（ＯＮ）させ、室内端子台２７の端子Ｓ３と室内通信回路部６との接続を開放し、室内端子台２７の端子Ｓ３と室外電源供給ライン２４とを接続する。
これにより、信号線１６と電源信号共通線９との間に商用電源７からの電力が供給される。
【００６６】
（ＳＴＥＰ６）
室内制御部５は、室外起動リレー２２を所定時間動作させる。
この所定時間は、例えば、室外機３のコンデンサ２５に電荷が充電される時間（ｎ秒）に設定する。なお、所定時間はこれに限るものではない。
【００６７】
（ＳＴＥＰ７）
室内制御部５は、室外起動リレー２２を所定時間動作させた後、当該室外起動リレー２２の動作を停止（ＯＦＦ）させ、室内端子台２７の端子Ｓ３と室内通信回路部６とを接続し、室内端子台２７の端子Ｓ３と室外電源供給ライン２４との接続を開放する。
【００６８】
（ＳＴＥＰ８）
室内制御部５は、室内通信回路部６を動作させて、室外機３との通信を開始させる。
そして、室内制御部５は、再度、室内通信回路部６と室外機３の室外通信回路部１４との通信が確立できたか否かを判断する。
【００６９】
（ＳＴＥＰ９）
室内通信回路部６と室外機３との通信が確立できた場合、室内通信回路部６は、室外機３の室外通信回路部１４との通信を開始する。
【００７０】
（ＳＴＥＰ１３）
ＳＴＥＰ３にて、室内通信回路部６と室外機３との通信が確立できた場合、室内制御部５は、室外機３との通信の中に「待機電力対応情報」に関する信号の有無を確認し、情報があった場合はＳＴＥＰ１０へ進む。
【００７１】
（ＳＴＥＰ１４）
一方、ＳＴＥＰ１３にて、「待機電力対応情報」に関する信号を確認できなかった場合、室内制御部５は、受電方式データ部２６に記憶された情報を確認し、「運転待機時の待機電力を削減できる仕様」（待機電力対応情報）ではない場合はＳＴＥＰ１０へ進む。
【００７２】
（ＳＴＥＰ１５）
一方、ＳＴＥＰ１４にて、「運転待機時の待機電力を削減できる仕様」（待機電力対応情報）の場合、室内制御部５は、受電方式データ部２６に記憶された「運転待機時の待機電力を削減できる仕様」（待機電力対応情報）の情報を「常時通電した仕様」（待機電力非対応情報）に書き換える。そして、ＳＴＥＰ５へ進む。以降の処理は前述の通りである。
【００７３】
（ＳＴＥＰ１０）
室内制御部５は、室内通信回路部６を介して室外機３と通信を行い、当該空気調和機１を冷房運転、又は暖房運転させる。
【００７４】
（ＳＴＥＰ１１）
一方、ＳＴＥＰ８にて、室内通信回路部６と室外機３との通信が確立できなかった場合、室内制御部５は、再度、室内通信回路部６を動作させて、室外機３との通信を開始させる。
そして、室内制御部５は、所定時間の間（ｎ秒）に、室内通信回路部６と室外機３との通信が確立できたか否かを判断する。
【００７５】
（ＳＴＥＰ１２）
ＳＴＥＰ４にて、受電方式データ部２６に「運転待機時の待機電力を削減できる仕様」（待機電力対応情報）以外の情報が保存されている場合、及び、ＳＴＥＰ１１にて、ｎ秒間経過するまでに室内通信回路部６と室外機３との通信が確立できない場合、室内制御部５は、通信異常と判断する。
【００７６】
次に、室外機３の動作を説明する。
【００７７】
（ＳＴＥＰ１６）
上記ＳＴＥＰ５にて、室内機２の室外起動リレー２２がＯＮされ、信号線１６と電源信号共通線９との間に商用電源７からの電力が供給されると、室外機３の室外端子台２８の端子Ｓ２とＳ３の間に商用電源７からの電力が供給される。
【００７８】
（ＳＴＥＰ１７）
室外端子台２８の端子Ｓ２とＳ３の間に商用電源７からの電力が供給されると、突入電流防止リレーコイル２０は、電源供給遮断リレー２１を介して通電され、突入電流防止リレー１９を短絡する。
突入電流防止リレー１９が短絡されると、室外端子台２８の端子Ｌ、Ｎに供給された商用電源７が、突入電流防止抵抗１０を介して、室外整流部１２及び通信回路電源部１３へ供給される。
室外整流部１２は、商用電源７から供給される交流電圧を、任意の直流電圧に変換し、室外制御部１５、コンデンサ２５及びインバータ回路２３へ供給する。
通信回路電源部１３は、商用電源７から供給された交流電圧を、任意の直流電圧に変換して室外通信回路部１４へ供給する。
【００７９】
（ＳＴＥＰ１８）
室外制御部１５は、室外整流部１２より直流電源が供給されると、室外リレー１１を短絡させる。
【００８０】
（ＳＴＥＰ１９）
次に、室外制御部１５は、電源供給遮断リレー２１を動作させて、接点を開放させる。
【００８１】
（ＳＴＥＰ２０）
電源供給遮断リレー２１が開放されると、突入電流防止リレーコイル２０は、非通電となり、突入電流防止リレー１９を開放させる。
これにより、室外機３の運転中においては、室外端子台２８の端子Ｓ２、Ｓ３間の短絡を防ぐことができ、室内通信回路部６と室外通信回路部１４との通信が可能な状態となる。
【００８２】
（ＳＴＥＰ２１）
次に、室外制御部１５は、室外通信回路部１４を動作させて、室内機２との通信を開始させる。
室外通信回路部１４は、電源信号共通線９と信号線１６を介して、室内通信回路部６との通信を開始する。
【００８３】
（ＳＴＥＰ２２）
室外制御部１５は、室外通信回路部１４と室内機２の室内通信回路部６との通信が確立できたか否かを判断する。
【００８４】
（ＳＴＥＰ２３）
室外通信回路部１４と室内機２との通信が確立できた場合は、室内機２との通信を開始する。
【００８５】
（ＳＴＥＰ２４）
室外制御部１５は、室外通信回路部１４を介して室内機２と通信を行い、当該空気調和機１を冷房運転、又は暖房運転させる。
【００８６】
（ＳＴＥＰ２５）
一方、ＳＴＥＰ２１にて、室外通信回路部１４と室内機２との通信が確立できなかった場合、室外制御部１５は、再度、室外通信回路部１４を動作させて、室内機２との通信を開始させる。
そして、室外制御部１５は、所定時間の間（ｎ秒）に、室外通信回路部１４と室内機２との通信が確立できたか否かを判断する。
【００８７】
（ＳＴＥＰ２６）
ＳＴＥＰ２５にて、ｎ秒間経過するまでに室外通信回路部１４と室内機２との通信が確立できない場合、室外制御部１５は、通信異常と判断する。
【００８８】
次に、空気調和機１を運転待機状態へ移行する動作について説明する。
【００８９】
室内制御部５は、受信部１８を介し、リモコン１７からの運転待機信号を受信する。
室内制御部５は、室内通信回路部６を介して、当該運転待機信号を室外機３へ送信する。
室内通信回路部６は、信号線１６及び電源信号共通線９を介して、室外通信回路部１４に当該運転待機信号を送信する。
室外制御部１５は、室外通信回路部１４を介して、運転待機信号を受信する。
室外制御部１５は、運転待機信号を受信すると、室外リレー１１を動作させて、接点を開放させる。
【００９０】
これにより、室外端子台２８の端子Ｌ、Ｎから、室外整流部１２及び通信回路電源部１３に対する商用電源７からの電力供給は停止され、室外機３の各構成部への直流電源の供給も停止される。
このような動作により、再度、上述した運転待機状態に移行する。
【００９１】
次に、本実施の形態における「常時通電した仕様」の室外機３の起動時の動作について説明する。
【００９２】
図５は、「常時通電した仕様」の室外機の動作を示すフローチャートである。
以下、図５の各ステップに基づいて説明する。
【００９３】
（ＳＴＥＰ２７）
室外端子台２８の端子Ｌ、Ｎに、商用電源７が供給されると、通信回路電源部１３及び突入電流防止抵抗１０を介して、室外整流部１２へ供給される。
そして、室外整流部１２は、商用電源７から供給される交流電圧を、任意の直流電圧に変換し、室外制御部１５、コンデンサ２５及びインバータ回路２３へ供給する。
通信回路電源部１３は、商用電源７から供給された交流電圧を、任意の直流電圧に変換して室外通信回路部１４へ供給する。
【００９４】
（ＳＴＥＰ２８）
室外制御部１５は、室外通信回路部１４を動作させて、室内機２との通信を開始させる。
室外通信回路部１４は、電源信号共通線９と信号線１６を介して、室内通信回路部６との通信を開始する。
【００９５】
（ＳＴＥＰ２９）
室外制御部１５は、室外通信回路部１４と室内機２の室内通信回路部６との通信が確立できたか否かを判断する。
【００９６】
（ＳＴＥＰ３０）
室外通信回路部１４と室内機２との通信が確立できた場合は、室内機２との通信を開始する。
【００９７】
（ＳＴＥＰ３１）
室外制御部１５は、室内機２からの要求信号を判定する。室外制御部１５は、室内機２からの要求信号が、運転待機信号である場合、運転開始要求信号の待ち状態となる。
【００９８】
（ＳＴＥＰ３２）
室外制御部１５は、室内機２からの要求信号が、運転待機信号である場合、室外リレーをＯＮ（短絡）にする。
【００９９】
（ＳＴＥＰ３３）
室外制御部１５は、室外通信回路部１４を介して室内機２と通信を行い、当該空気調和機１を冷房運転、又は暖房運転させる。
【０１００】
（ＳＴＥＰ３４）
一方、ＳＴＥＰ２９にて、室外通信回路部１４と室内機２との通信が確立できなかった場合、室外制御部１５は、再度、室外通信回路部１４を動作させて、室内機２との通信を開始させる。
そして、室外制御部１５は、所定時間の間（ｎ秒）に、室外通信回路部１４と室内機２との通信が確立できたか否かを判断する。
【０１０１】
（ＳＴＥＰ３５）
ＳＴＥＰ３４にて、ｎ秒間経過するまでに室外通信回路部１４と室内機２との通信が確立できない場合、室外制御部１５は、通信異常と判断する。
【０１０２】
次に、「運転待機時の待機電力を削減できる仕様」の室外機３が接続された場合において、運転中に室内機２のみパワーオンリセットした時の動作を、図１を用いて説明する。
【０１０３】
（ＳＴＥＰ１）
室内制御部５は、受信部１８を介し、リモコン１７から運転開始要求を受信する。
【０１０４】
（ＳＴＥＰ２）
室内制御部５は、室内通信回路部６を動作させて、室外機３との通信を開始させる。
【０１０５】
（ＳＴＥＰ３）
室内制御部５は、室内通信回路部６と室外機３の室外通信回路部１４との通信が確立できたか否かを判断する。
【０１０６】
（ＳＴＥＰ４）
ＳＴＥＰ３にて、室内通信回路部６と室外機３との通信が確立できなかった場合、室内制御部５は、受電方式データ部２６に保存されている情報を確認し、保存されている情報が「運転待機時の待機電力を削減できる仕様」（待機電力対応情報）の場合はＳＴＥＰ５へ進む。
【０１０７】
（ＳＴＥＰ５）
ＳＴＥＰ４にて、受電方式データ部２６に保存されている情報が「運転待機時の待機電力を削減できる仕様」（待機電力対応情報）の場合、室内制御部５は、室外起動リレー２２を動作（ＯＮ）させ、室内端子台２７の端子Ｓ３と室内通信回路部６との接続を開放し、室内端子台２７の端子Ｓ３と室外電源供給ライン２４とを接続する。
これにより、信号線１６と電源信号共通線９との間に商用電源７からの電力が供給される。
【０１０８】
（ＳＴＥＰ６）
室内制御部５は、室外起動リレー２２を所定時間動作させる。
この所定時間は、例えば、室外機３のコンデンサ２５に電荷が充電される時間（ｎ秒）に設定する。なお、所定時間はこれに限るものではない。
【０１０９】
（ＳＴＥＰ７）
室内制御部５は、室外起動リレー２２を所定時間動作させた後、当該室外起動リレー２２の動作を停止（ＯＦＦ）させ、室内端子台２７の端子Ｓ３と室内通信回路部６とを接続し、室内端子台２７の端子Ｓ３と室外電源供給ライン２４との接続を開放する。
【０１１０】
（ＳＴＥＰ８）
室内制御部５は、室内通信回路部６を動作させて、室外機３との通信を開始させる。
そして、室内制御部５は、再度、室内通信回路部６と室外機３の室外通信回路部１４との通信が確立できたか否かを判断する。
【０１１１】
（ＳＴＥＰ９）
室内通信回路部６と室外機３との通信が確立できた場合、室内通信回路部６は、室外機３の室外通信回路部１４との通信を開始する。
【０１１２】
（ＳＴＥＰ１０）
室内制御部５は、室内通信回路部６を介して室外機３と通信を行い、当該空気調和機１を冷房運転、又は暖房運転させる。
【０１１３】
（ＳＴＥＰ１１）
一方、ＳＴＥＰ８にて、室内通信回路部６と室外機３との通信が確立できなかった場合、室内制御部５は、再度、室内通信回路部６を動作させて、室外機３との通信を開始させる。
そして、室内制御部５は、所定時間の間（ｎ秒）に、室内通信回路部６と室外機３との通信が確立できたか否かを判断する。
【０１１４】
（ＳＴＥＰ１２）
ＳＴＥＰ４にて、受電方式データ部２６に「運転待機時の待機電力を削減できる仕様」（待機電力対応情報）以外の情報が保存されている場合、及び、ＳＴＥＰ１１にて、ｎ秒間経過するまでに室内通信回路部６と室外機３との通信が確立できない場合、室内制御部５は、通信異常と判断する。
【０１１５】
ここで、ＳＴＥＰ１０において、室内制御部５が、室内通信回路部６を介して室外機３と通信を行い、当該空気調和機１を冷房運転、又は暖房運転させた後、室内機２のみ運転中に瞬時停電等でパワーオンリセットが発生する。この場合、背景技術で説明したように、室内機２では、パワーオンリセット後、一定時間内に室外機３からの通信があるため、接続されている室外機３は「常時通電した仕様」と判断する。そのため、室内機２では、室内制御部５が、受電方式データ部２６に保有している「運転待機時の待機電力を削減できる仕様」（待機電力対応情報）を「常時通電した仕様」（待機電力非対応情報）に書き換える。そして、室内制御部５は、受信部１８を介し、リモコン１７から運転停止指令を受信して、室内機２及び室外機３の動作を停止する。
【０１１６】
（ＳＴＥＰ１）
その後、室内制御部５は、受信部１８を介し、リモコン１７から運転開始要求を受信する。
【０１１７】
（ＳＴＥＰ２）
室内制御部５は、室内通信回路部６を動作させて、室外機３との通信を開始させる。
【０１１８】
（ＳＴＥＰ３）
室内制御部５は、室内通信回路部６と室外機３の室外通信回路部１４との通信が確立できたか否かを判断する。
室内通信回路部６と室外機３との通信が確立できた場合は、ＳＴＥＰ１３へ進む。
【０１１９】
（ＳＴＥＰ１３）
ＳＴＥＰ３にて、室内通信回路部６と室外機３との通信が確立できた場合、室内制御部５は、室外機３との通信の中に「待機電力対応情報」に関する信号の有無を確認し、情報が確認できなかった場合はＳＴＥＰ１４へ進む。
【０１２０】
（ＳＴＥＰ１４）
ＳＴＥＰ１３にて、「待機電力対応情報」に関する信号を確認できなかった場合、室内制御部５は、受電方式データ部２６に記憶された情報を確認し、「運転待機時の待機電力を削減できる仕様」（待機電力対応情報）の場合はＳＴＥＰ１５へ進む。
【０１２１】
（ＳＴＥＰ１５）
ＳＴＥＰ１４にて、「運転待機時の待機電力を削減できる仕様」（待機電力対応情報）の場合、室内制御部５は、受電方式データ部２６に記憶された「運転待機時の待機電力を削減できる仕様」（待機電力対応情報）の情報を「常時通電した仕様」（待機電力非対応情報）に書き換える。そして、ＳＴＥＰ５へ進む。以降の処理は前述の通りである。
【０１２２】
（ＳＴＥＰ１０）
そして、室内制御部５は、室内通信回路部６を介して室外機３と通信を行い、当該空気調和機１を冷房運転、又は暖房運転させる。
このような動作により、再度、上述した運転待機状態に移行後も、再起動することが出来る。
【０１２３】
以上説明したように、本実施の形態では、「運転待機時の待機電力を削減できる仕様」の室外機３からの通信の中に常に「待機電力対応情報」に関する信号を含む事で、室内機２は、瞬停等による室内機パワーオンリセット時に室外機３からの通信があって受電方式データ部２６のデータを書き換えた場合であっても、再起動時に室外機３から「待機電力対応情報」に関する信号を含んだ通信を受信することにより、受電方式データ部２６のデータを再度書き換えて正しい状態にすることができる。これにより、瞬停等で室内機２のみパワーオンリセットがかかったあと運転を停止し、室外機３の通電がカットされても、次回運転指令時、室内機２では室外機３の仕様を誤認しないため、室外起動リレー２２を動作させる制御を行い、室外機３を再起動することができる。
【０１２４】
なお、本実施の形態では、「運転待機時の待機電力を削減できる仕様」の室外機３からの通信の中に常に「待機電力対応情報」を含ませる場合について説明したが、これに限定するものではない。「常時通電した仕様」の室外機３からの通信の中に常に「待機電力非対応情報」を含ませてもよく、また、「運転待機時の待機電力を削減できる仕様」の室外機３及び「常時通電した仕様」の室外機３の両方において通信の中に常に仕様に関する情報を含ませてもよい。この場合においても、上記同様の効果を得ることができる。
【産業上の利用可能性】
【０１２５】
以上のように、本発明にかかる空気調和機は、室内機及び室外機から構成される空気調和機に有用であり、特に、室内機が複数種類の室外機と接続可能な場合に適している。
【符号の説明】
【０１２６】
１  空気調和機、２  室内機、３  室外機、４  室内整流部、５  室内制御部、６  室内通信回路部、７  商用電源、８  電源線、９  電源信号共通線、１０  突入電流防止抵抗、１１  室外リレー、１２  室外整流部、１３  通信回路電源部、１４  室外通信回路部、１５  室外制御部、１６  信号線、１７  リモコン、１８  受信部、１９  突入電流防止リレー、２０  突入電流防止リレーコイル、２１  電源供給遮断リレー、２２  室外起動リレー、２３  インバータ回路、２４  室外電源供給ライン、２５  コンデンサ、２６  受電方式データ部、２７  室内端子台、２８  室外端子台。
【図１】
0005502062.tif 000002
【図２】
0005502062.tif 000003
【図３】
0005502062.tif 000004
【図４】
0005502062.tif 000005
【図５】
0005502062.tif 000006